(57)【特許請求の範囲】
【請求項１】
正極、負極及びセパレータを含む中央電極部と；
前記中央電極部の第１端部から延伸する第１電極部と；
前記中央電極部の第１端部の反対側に位置する第２端部から延伸する第２電極部と；
前記中央電極部を囲む中央ケースと；
前記第１電極部を囲む電気伝導性を有する第１電極ケースと；
前記第２電極部を囲む電気伝導性を有する第２電極ケースと；
を含み、
前記第１電極ケースと前記中央ケースとは締結されており、
前記第１電極ケースは、前記第１端部で前記中央電極部の一部を囲む重畳部を有し、
前記中央ケースは、前記第１電極ケースが有する重畳部を囲み、
前記第２電極ケースと前記中央ケースとは締結されており、
前記第２電極ケースは、前記第２端部で前記中央電極部の一部を囲む重畳部を有し、
前記中央ケースは、前記第２電極ケースの前記重畳部を囲む、
ことを特徴とする、二次電池。
【請求項２】
前記中央ケースは、前記第１電極ケース及び前記第２電極ケースのうちの少なくとも一つと異なる素材を含む、
ことを特徴とする、請求項１に記載の二次電池。
【請求項３】
前記中央ケースは、金属層と樹脂層とが接着層により接合されたラミネートシートを含む、
ことを特徴とする、請求項１又は２に記載の二次電池。
【請求項４】
前記第１電極ケース及び前記第２電極ケースのうちの少なくとも一つは、外形に傾斜部が形成される、
ことを特徴とする、請求項１〜３のいずれか１項に記載の二次電池。
【請求項５】
前記第１電極ケース及び前記第２電極ケースのうちの少なくとも一つは、外形に略直角の傾斜角度からなる傾斜部が形成される、
ことを特徴とする、請求項１〜４のいずれか１項に記載の二次電池。
【請求項６】
前記第１電極部及び前記第２電極部のうちの少なくとも一つは、湾曲部及び集電部を含む、
ことを特徴とする、請求項１〜３のいずれか１項に記載の二次電池。
【請求項７】
前記第１電極ケースは、前記第１電極部の湾曲部を囲む第１収容部と、前記第１電極部の集電部を囲む第２収容部とを含み、
前記第２電極ケースは、前記第２電極部の湾曲部を囲む第１収容部と、前記第２電極部の集電部を囲む第２収容部とを含む、
ことを特徴とする、請求項６に記載の二次電池。
【請求項８】
前記第１電極ケース又は前記第２電極ケースのうちの少なくとも一方の電極ケースの、前記重畳部と前記第２収容部とは、互いに略平行であり、
前記一方の電極ケースの前記第１収容部は、前記一方の電極ケースの前記重畳部と前記第２収容部とを連結し、前記重畳部に対して角度を有して外形に傾斜して形成される傾斜部を有する、
ことを特徴とする、請求項７に記載の二次電池。
【請求項９】
前記第１電極ケース又は前記第２電極ケースのうちの少なくとも一方の電極ケースの、前記重畳部と前記第２収容部とは、互いに略平行であり、
前記一方の電極ケースの前記第１収容部は、前記一方の電極ケースの前記重畳部と前記第２収容部とを連結し、前記重畳部から略直角に傾斜して形成される傾斜部を有する、
ことを特徴とする、請求項７に記載の二次電池。
【請求項１０】
前記第１電極ケース又は前記第２電極ケースのうちの少なくとも一つの前記重畳部と前記中央ケースとの間にシーリング部位をさらに含む、
ことを特徴とする、請求項１〜９のいずれか１項に記載の二次電池。
【請求項１１】
前記第１電極ケース又は前記第２電極ケースのうちの少なくとも一つの前記第２収容部と前記中央ケースとの間にシーリング部位をさらに含み、
前記第１電極ケース又は前記第２電極ケースのうちの少なくとも一つは、外形に略直角の傾斜角度からなる傾斜部が形成される、
ことを特徴とする、請求項７〜１０のいずれか１項に記載の二次電池。
【請求項１２】
前記第１電極部又は前記第２電極部のうちの少なくとも一つの前記集電部は、対応する前記第１電極ケース又は前記第２電極ケースの前記第２収容部に形成される凹部において、対応する前記第１電極ケース又は前記第２電極ケースに固定される、
ことを特徴とする、請求項７〜１１のいずれか１項に記載の二次電池。
【請求項１３】
前記第１電極部又は前記第２電極部のうちの少なくとも一つの前記集電部は、対応する前記第１電極ケース又は前記第２電極ケースの前記第２収容部に形成される開口部と、対応する前記第１電極部又は前記第２電極部の前記集電部に形成される開口部とを通して締結される、
ことを特徴とする、請求項７〜１２のいずれか１項に記載の二次電池。
【請求項１４】
前記第１電極部及び前記第２電極部は、導電性締結部材によって、対応する前記第１電極ケース又は前記第２電極ケースに締結される、
ことを特徴とする、請求項１３に記載の二次電池。
【請求項１５】
前記第１電極部又は前記第２電極部のうちの少なくとも一つの前記集電部は、導電性締結部材により締結される、
ことを特徴とする、請求項１３に記載の二次電池。
【請求項１６】
前記第１電極ケースの第２収容部又は前記第２電極ケースの第２収容部と締結される電極端子をさらに含む、
ことを特徴とする、請求項７〜１５のいずれか１項に記載の二次電池。
【請求項１７】
前記第１電極ケース又は前記第２電極ケースのうちの少なくとも一つは、電極端子を含む、
ことを特徴とする、請求項４〜１６のいずれか１項に記載の二次電池。
【発明の詳細な説明】
【技術分野】
【０００１】
本発明は、二次電池に関し、より詳しくは、電極組立体を収容するケースの構造に関する。
【背景技術】
【０００２】
二次電池は、正極、セパレータ、及び負極から構成される電極組立体と、電極組立体を収容するケースと、電極組立体に連結され、ケースの外部に引き出される電極端子とを含む。ケースは、例えば、金属層と樹脂層とが接合されたラミネートシートで製造される。通常、このようなケースを備えた二次電池をパウチ型電池という。
【０００３】
通常のパウチ型電池は、電極組立体の正極無地部と負極無地部とに、正極端子と負極端子とをそれぞれ溶接で固定させ、電解液が含浸された電極組立体全体と正極端子及び負極端子の一部とをケースの内部空間に収容し、上部ケースと下部ケースとの周縁を熱融着でシーリングして接合させる過程を経て完成される。
【発明の概要】
【発明が解決しようとする課題】
【０００４】
ところで、前述した構造では、電極組立体の外側において、電極組立体と電極端子との溶接部位、上部ケースと下部ケースとのシーリング部位、及び電極端子の引出し部位が順次に位置する。従って、二次電池全体で電池反応に実際に寄与しない部分が大きい面積を占めるため、全体体積が拡大されて二次電池の高容量化及びコンパクト化に不利となる。
【０００５】
さらに、上部ケースと下部ケースとを熱融着する過程において、上部ケースをディップドローイング（ｄｅｅｐ  ｄｒａｗｉｎｇ）して下部ケースにシーリングする。この場合、ディップドローイングにより上部ケースの周縁がぜい弱となるため、外部衝撃によりケースが簡単に破損し、その結果二次電池の信頼性が低下することがある。
【０００６】
そこで、本発明は、上記問題に鑑みてなされたものであり、本発明の目的とするところは、電極組立体の外側で電池反応に実際に寄与しない部分の面積を縮小させて高容量化及びコンパクト化に有利な、新規かつ改良された二次電池を提供することにある。さらに、本発明の目的とするところは、上部ケースのディップドローイング工程を省略してケースの耐久性を高めることにより、信頼性と構造的安全性を高めることができる二次電池を提供することにある。
【課題を解決するための手段】
【０００７】
上記課題を解決するために、本発明のある観点によれば、正極、負極及びセパレータを含む中央電極部；前記中央電極部の第１端部から延長する第１電極部；前記中央電極部の前記第１端部の反対側に位置する第２端部から延長する第２電極部；前記中央電極部を囲む中央ケース；前記第１電極部を囲む電気伝導性を有する第１電極ケース；及び前記第２電極部を囲む電気伝導性を有する第２電極ケースを含む二次電池が提供される。
【０００８】
また、前記第１電極ケースは、前記中央ケースと締結されて、前記第１電極ケースの重畳部が前記第１端部で前記中央電極部の一部を囲み、前記中央ケースは前記第１電極ケースの前記重畳部を囲み、前記第２電極ケースは前記中央ケースと締結されて、前記第２電極ケースの重畳部が前記第２端部で前記中央電極部の一部を囲み、前記中央ケースは前記第２電極ケースの前記重畳部を囲むように形成されてもよい。
【０００９】
また、前記中央ケースは、前記第１電極ケース及び第２電極ケースのうちの少なくとも一つと異なる素材を含んでもよい。
【００１０】
また、前記中央ケースは、金属層と樹脂層とが接着層により接合されたラミネートシートを含み、前記第１電極ケース及び第２電極ケースは固い金属を含んでもよい。
【００１１】
また、前記第１電極ケース及び第２電極ケースのうちの少なくとも一つは、外形に傾斜部が形成されてもよく、前記第１電極ケース及び第２電極ケースのうちの少なくとも一つは、外形に略直角の傾斜角度からなる傾斜部が形成されてもよい。
【００１２】
また、前記第１電極部及び前記第２電極部のうちの少なくとも一つは、湾曲部及び集電部を含んでもよい。さらに、前記第１電極ケースは、前記第１電極部の前記湾曲部を囲む第１収容部と、前記第１電極部の前記集電部を囲む第２収容部とを含み、前記第２電極ケースは、前記第２電極部の前記湾曲部を囲む第１収容部と、前記第２電極部の前記集電部を囲む第２収容部とを含んでもよい。
【００１３】
また、前記第１電極ケース又は第２電極ケースのうちの少なくとも一つの前記重畳部と、前記第１電極ケース又は第２電極ケースのうちの少なくとも一つの対応する前記第２収容部とは、実質的に互いに平行であり、前記第１収容部は、前記重畳部と前記第２電極ケースとを連結し、前記重畳部に対して角度を有して傾斜して形成される傾斜部を有してもよい。
【００１４】
また、前記第１電極ケース又は第２電極ケースのうちの少なくとも一つの前記重畳部と、前記第１電極ケース又は第２電極ケースのうちの少なくとも一つの対応する前記第２収容部とは、実質的に互いに平行であり、前記第１収容部は、前記重畳部と前記第２電極ケースとを連結し、前記重畳部から略直角に傾斜して形成される傾斜部を有してもよい。
【００１５】
また、前記第１電極ケース又は第２電極ケースのうちの少なくとも一つの前記重畳部と前記中央ケースとの間にシーリング部位をさらに含んでもよい。
【００１６】
また、前記第１電極ケース又は第２電極ケースのうちの少なくとも一つの前記第２収容部と前記中央ケースとの間にシーリング部位をさらに含み、前記第１電極ケース又は第２電極ケースのうちの少なくとも一つは、外形に略直角の傾斜角度からなる傾斜部が形成されてもよい。
【００１７】
また、前記第１電極部又は第２電極部のうちの少なくとも一つの前記集電部は、対応する前記第１電極ケース又は第２電極ケースの前記第２収容部に形成される凹部において、対応する前記第１電極ケース又は第２電極ケースに固定されてもよい。
【００１８】
また、前記第１電極部又は第２電極部のうちの少なくとも一つの前記集電部は、対応する前記第１電極ケース又は第２電極ケースの前記第２収容部に形成される開口部と、対応する前記第１電極部又は第２電極部の前記集電部に形成される開口部とを通して締結されてもよい。
【００１９】
また、前記第１電極部及び第２電極部は、導電性締結部材によって、対応する前記第１電極ケース又は第２電極ケースに締結されてもよい。
【００２０】
また、上記課題を解決するために、本発明の別の観点によれば、正極、負極及びセパレータを含む中央電極部；前記中央電極部の第１端部から延長する第１電極部；前記中央電極部の前記第１端部の反対側に位置する第２端部から延長する第２電極部；前記中央電極部を囲む中央ケース；前記第１電極部を囲む第１電極ケース；及び前記第２電極部を囲む第２電極ケースを含み、前記第１電極ケース及び第２電極ケースのうちの少なくとも一つは折曲されて形成される二次電池が提供される。
【００２１】
また、前記第１電極ケース又は第２電極ケースのうちの少なくとも一つは、実質的に直角に折曲されてもよい。
【００２２】
また、前記第１電極部又は第２電極部のうちの少なくとも一つは、湾曲部及び集電部を含んでもよい。
【００２３】
また、前記第１電極ケースは、前記第１電極部の前記湾曲部を囲む第１収容部と、前記第１電極部の前記集電部を囲む第２収容部とを含み、前記第２電極ケースは、前記第２電極部の前記湾曲部を囲む第１収容部と、前記第２電極部の前記集電部を囲む第２収容部とを含んでもよい。
【００２４】
また、前記第１電極ケース又は第２電極ケースのうちの少なくとも一つは、前記第１電極ケース及び第２電極ケースのうちの少なくとも一つの前記第１収容部と第２収容部との間で角度を有して折曲されてもよい。
【００２５】
また、前記第１電極ケース及び第２電極ケースのうちの少なくとも一つの前記第１収容部及び第２収容部は、実質的に互いに直角をなすように形成されてもよい。
【００２６】
また、前記第１電極部の前記集電部は、前記第１電極ケースの前記第２収容部に形成される凹部で前記第１電極ケースに固定されたり、前記第２電極部の前記集電部は、前記第２電極ケースの前記第２収容部に形成される凹部で前記第２電極ケースに固定されたりしてもよい。
【００２７】
また、前記第１電極部の前記集電部は、前記第１電極ケースの前記第２収容部に形成される開口部と前記第１電極部の前記集電部に形成される対応する開口部とを通して前記第１電極ケースに締結されたり、前記第２電極部の前記集電部は、前記第２電極ケースの前記第２収容部に形成される開口部と前記第２電極部の前記集電部に形成される対応する開口部とを通して前記第２電極ケースに締結されたりしてもよい。
【００２８】
また、前記第１電極部又は第２電極部のうちの少なくとも一つの前記集電部は、導電性締結部材により締結されてもよい。
【００２９】
また、前記第１電極ケースの前記第２収容部又は前記第２電極ケースの前記第２収容部と締結される電極端子をさらに含んでもよい。
【００３０】
また、前記第１電極ケース又は第２電極ケースのうちの少なくとも一つは、電極端子を含んでもよい。
【００３１】
また、前記中央ケースは、前記第１電極ケース及び第２電極ケースのうちの少なくとも一つと異なる素材を含んでもよい。
【００３２】
また、前記中央ケースは、金属層と樹脂層とが接着層により接合されたラミネートシートを含み、前記第１電極ケース及び第２電極ケースは固い金属を含んでもよい。
【発明の効果】
【００３３】
以上説明したように本発明によれば、二次電池全体で電池反応に実際に寄与しない電極組立体の外側部位の幅を効果的に縮小させることができる。従って、電極組立体の幅を拡大させて電池容量を増大させたり、電極組立体の外側部位の幅を縮小させたりして、よりコンパクトな二次電池を製造することができる。また、電極組立体をより堅固に保護することができ、二次電池の構造的な安全性を高めて外部衝撃や振動による損傷を最少化することができる。
【図面の簡単な説明】
【００３４】
【図１】本発明の第１実施形態に係る二次電池の斜視図である。
【図２】図１に示した二次電池の分解斜視図である。
【図３】図１に示した二次電池の断面図である。
【図４】本発明の第２実施形態に係る二次電池の断面図である。
【図５】本発明の第３実施形態に係る二次電池の断面図である。
【発明を実施するための形態】
【００３５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３６】
図１は、本発明の第１実施形態に係る二次電池の斜視図である。また、図２は、図１に示した二次電池の分解斜視図である。
【００３７】
図１及び図２に示すように、第１実施形態の二次電池２００は、電極組立体１０と、電極組立体１０を３個の領域に分けて収容する正極ケース２０、負極ケース３０及び中央ケース４０を含む。正極ケース２０と負極ケース３０は、電極組立体１０の一側端部と反対側端部をそれぞれ囲む。また、中央ケース４０は、電極組立体１０の中央部全体と正極ケース２０及び負極ケース３０の一部を囲む。
【００３８】
電極組立体１０は、ゼリーロール形態に巻取されて形成されたり、ジグザグ方式で折畳まれて積層されたり、単一板で製造された正極と負極及びセパレータを積層した形態で構成されてもよい。図２では、積層型電極組立体を例に挙げて示した。電極組立体１０において正極１１と負極１２は、その間にセパレータ１３を挟んだ状態で交互に反復して積層される。セパレータ１３は、正極１１及び負極１２よりも小幅を有し、正極１１及び負極１２の周縁と一定の距離を置いて配置される。
【００３９】
これによって、電極組立体１０の一側端部で正極１１の一部がセパレータ１３の外側に露出し、電極組立体１０の反対側端部で負極１２の一部がセパレータ１３の外側に露出する。露出した正極１１の一部は、正極集電体に正極活物質が塗布されていない正極無地部１４であり、露出した負極１２の一部は、負極集電体に負極活物質が塗布されていない負極無地部１５である。
【００４０】
従って、電極組立体１０は、セパレータ１３が位置する中央部１６と、中央部１６の一側端部に位置する正極無地部１４と、中央部１６の反対側端部に位置する負極無地部１５とに区分されてもよい。
【００４１】
正極無地部１４と負極無地部１５の周縁は、加圧により密着した後、溶接などの方法で接合される。便宜上、正極無地部１４と負極無地部１５の中で相互間距離が近くなるように一部分に向かって集まる部分を湾曲部１４１、１５１と呼び、互いに接合された領域を正極集電部１４２及び負極集電部１５２と呼ぶことにする。
【００４２】
正極集電部１４２と負極集電部１５２は、電極組立体の厚さ方向に沿って電極組立体１０の中央に位置したり、電極組立体１０の厚さ方向に沿って電極組立体１０の片側に偏って位置したりしてもよい。図２では、後者の場合を示した。
【００４３】
図３は、図１に示した二次電池の断面図である。
【００４４】
図１及び図３に示すように、正極ケース２０は、正極集電部１４２と結合して互いに電気的に連結され、外側に突出した正極端子２１を一体に形成する。負極ケース３０は、負極集電部１５２と結合して互いに電気的に連結され、外側に突出した負極端子３１を一体に形成する。正極ケース２０と負極ケース３０は、電気伝導度が高く且つ固い金属で製造される。
【００４５】
正極ケース２０は、湾曲部１４１及び湾曲部１４１に向かった中央部１６の一部を囲む第１収容部２２と、第１収容部２２の外側に位置し、正極集電部１４２を囲む第２収容部２３と、第２収容部２３の外側に位置する正極端子２１とを含む。第１収容部２２と第２収容部２３及び正極端子２１は全て一体に連結される。
【００４６】
つまり、正極ケース２０は、正極端子２１と、第１収容部２２と、第２収容部２３とを含む。第１収容部２２は、湾曲部１４１と、湾曲部１４１に近い部分に位置する中央部１６の一部とを囲むための部位である。また、第２収容部２３は、正極集電部１４２を囲むための部位である。そして、図３に示すように、第２収容部２３の一側には正極端子２１が一体に連結され、第２収容部２３の他側には第１収容部２２が一体に連結されている。
【００４７】
第１収容部２２は、一側面が開放された略直六面体形状で構成されるが、その一面は中央部１６と対向する直線部２４と、湾曲部１４１を覆う傾斜部２５とから構成されてもよい。
【００４８】
正極集電部１４２が電極組立体１０の厚さ方向に沿って電極組立体１０の中央に位置する場合、湾曲部１４１の上下にそれぞれの傾斜部２５が位置してもよい。他方で、正極集電部１４２が電極組立体１０の厚さ方向に沿って片側に偏って位置する場合、湾曲部１４１の外側に一つの傾斜部２５が位置してもよい。図２では後者の場合を示した。
【００４９】
第２収容部２３は、正極集電部１４２が挿入される内部空間を形成する。正極集電部１４２は溶接により第２収容部２３に固定される。このために、第２収容部２３は、少なくとも一つの凹部２６を備えて部分的にその厚さを減少させ、凹部２６で第２収容部２３と正極集電部１４２がスポット溶接で固定される。凹部２６は第２収容部２３の上面と下面に互いに対称となるように備えられてもよい。
【００５０】
従って、正極端子２１を含む正極ケース２０全体は、第２収容部２３と正極集電部１４２の結合により正極１４と電気的に連結される。このように正極ケース２０は入出力端子としての作用と外装構造体としての作用を併せ持っている。
【００５１】
負極ケース３０は、正極ケース２０と同一の形状で構成され、第２収容部３３と負極集電部１５２が溶接により一体に固定されて負極端子３１を含む負極ケース３０全体が負極１５と電気的に連結される。図３で、図面符号３２は、負極ケース３０の第１収容部３２を示し、図面符号３４と３５は、それぞれ第１収容部３２の直線部３４と傾斜部３５を示す。そして、図面符号３６は、第２収容部３３の凹部３６を示す。
【００５２】
中央ケース４０は、電極組立体１０の中央部１６全体と正極ケース２０及び負極ケース３０の第１収容部２２、３２の一部を囲み、正極ケース２０及び負極ケース３０に接合されてこれらケースに固定される。中央ケース４０は、金属層と樹脂層とが接着層により接合されたラミネートシートで製造されてもよい。
【００５３】
中央ケース４０は、熱融着により正極ケース２０及び負極ケース３０の直線部２４、３４の外面に接合される。図３で、図面符号４１は、正極ケース２０と中央ケース４０のシーリング部位及び負極ケース３０と中央ケース４０のシーリング部位を示す。
【００５４】
従って、正極ケース２０と中央ケース４０のシーリング部位４１は、電極組立体１０の中央部１６に対応し、正極集電部１４２と第２収容部２３の接合部位の内側に位置する。負極ケース３０と中央ケース４０のシーリング部位４１も、電極組立体１０の中央部１６に対応し、負極集電部１５２と第２収容部３３の接合部位の内側に位置する。
【００５５】
前述した構造の二次電池２００では、ケース２０、３０、４０のシーリング部位４１が正極集電部１４２及び負極集電部１５２の内側に位置し、正極集電部１４２と負極集電部１５２のすぐ外側に正極端子２１と負極端子３１が位置することによって、二次電池２００の全体で電池反応に実際に寄与しない電極組立体１０の外側部位の幅を効果的に縮小させることができる。
【００５６】
従って、同一の二次電池サイズに対比して電極組立体１０の幅を拡大させて電池容量を増大させたり、同一の電極組立体サイズに対比して電極組立体１０の外側部位の幅を縮小させたりしてよりコンパクトな二次電池を製造することができる。このように第１実施形態の二次電池２００は、空間活用度を高めることができるため、高容量化及びコンパクト化に有利である。
【００５７】
また、ラミネートシートで製造される中央ケース４０は、曲げ（ｂｅｎｄｉｎｇ）部位を備えない。つまり、中央ケース４０の代わりに正極ケース２０と負極ケース３０が曲げ部位（直線部と傾斜部の境界部位；つまり、屈曲部分）を備えるが、正極ケース２０と負極ケース３０は固い金属で製造されるため、曲げ部位がこれらケースの強度に影響を与えない。
【００５８】
従って、中央ケース４０は、ディップドローイング（ｄｅｅｐ  ｄｒａｗｉｎｇ）による構造的ぜい弱が発生せず、通常のラミネートシートよりも厚い０.１５ｍｍ〜１ｍｍの厚さを有してもよく、好ましくは０.２ｍｍ〜０．５ｍｍの厚さを有してもよい。その結果、第１実施形態の二次電池２００は、１０ｍｍ以上の全体の厚さを有する厚い電池を実現することができ、電極組立体１０をより堅固に保護することができ、構造的な安全性を高めて外部衝撃や振動による損傷を最少化することができる。
【００５９】
図１と図２で、正極端子２１及び負極端子３１は少なくとも一つの開口部２７、３７を形成してもよい。この開口部２７、３７は、連結部材（図示せず）と結合されるためのものであり、連結部材は複数の二次電池２００を直列又は並列に連結して電池モジュールを構成する際に使用される。
【００６０】
図４は、本発明の第２実施形態による二次電池の断面図である。
【００６１】
図４に示すように、第２実施形態の二次電池２１０は、導電性締結部材５０を用いて正極ケース２０１の第２収容部２３１に正極集電部１４２を結合させ、負極ケース３０１の第２収容部３３１に負極集電部１５２を結合させる構造以外は、前述した第１実施形態の二次電池と類似する構成からなる。本実施形態で、前記結合は、溶接の代わりにリベット又はボルトのような締結構造により行なわれてもよい。第１実施形態の二次電池と同一の部材に対しては同一の図面符号を使用する。
【００６２】
正極及び負極ケース２０１、３０１の第２収容部２３１、３３１には、正極及び負極集電部１４２、１５２を露出させる少なくとも一つの開口部２８、３８が形成され、正極及び負極集電部１４２、１５２にも、第２収容部２３１、３３１の開口部２８、３８に対応する開口部が形成される。これによって、締結部材５０が第２収容部２３１と正極集電部１４２を貫通し、第２収容部３３１と負極集電部１５２を貫通して正極及び負極集電部１４２、１５２をそれぞれ正極及び負極ケース２０１、３０１に固定させる。
【００６３】
図５は、本発明の第３実施形態に係る二次電池の断面図である。
【００６４】
図５に示すように、第３実施形態の二次電池２２０は、正極及び負極ケース２０２、３０２の第１収容部２２１、３２１が傾斜部なしに両側面が開放された直六面体形状で構成され、第２収容部２３２、３３２が第１収容部２２１、３２１の外側で第１収容部２２１、３２１と直交するように形成される以外は、前述した第１実施形態の二次電池と類似する構成からなる。第１実施形態の二次電池と同一の部材に対しては同一の図面符号を使用する。
【００６５】
正極ケース２０２の第１収容部２２１は、電極組立体１０の中央部１６一部と湾曲部１４１全体を囲み、第２収容部２３２は、第１収容部２２１及び正極端子２１と直交するように形成される。第２収容部２３２は、正極集電部１４２を露出させる少なくとも一つの開口部２９を形成し、この開口部２９で正極集電部１４２と第２収容部２３２がスポット溶接で固定される。負極ケース３０２は正極ケース２０２と同一の形状で構成される。
【００６６】
中央ケース４０１は、電極組立体１０の中央部１６全体と正極ケース２０２の第１及び第２収容部２２１、２３２、負極ケース３０２の第１及び第２収容部３２１、３３２を囲み、第２収容部２３２、３３２に熱融着で接合される。この場合、正極及び負極ケース２０２、３０２と中央ケース４０１のシーリング部位４１１は、電極組立体１０の厚さ方向に沿って正極及び負極集電部１４２、１５２と同一線上に置かれる。
【００６７】
第３実施形態の二次電池２２０では、第２収容部２３２、３３２の厚さを増加させ、正極ケース２０２及び負極ケース３０２に対する中央ケース４０１の重畳面積を増加させることによって、二次電池２２０の構造的安定性をより高めることができる。
【００６８】
以上、添付図面を参照しながら本発明の好適な実施形態について説明したが、本発明は係る例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【符号の説明】
【００６９】
２００、２１０、２２０    二次電池
１０    電極組立体
１１    正極
１２    負極
１３    セパレータ
１４    正極無地部
１５    負極無地部
２０    正極ケース
３０    負極ケース
４０    中央ケース
【図１】
0005592221.tif 000002
【図２】
0005592221.tif 000003
【図３】
0005592221.tif 000004
【図４】
0005592221.tif 000005
【図５】
0005592221.tif 000006